(57)【要約】【課題】  従来の検針用携帯プリンタでは、用紙を切り替えるためには、用紙をセットし直す必要があり手間がかかるので検針の処理件数が少なくなるため、使用量のお知らせ等の高級な品質の紙を使用する必要が無い印刷も高級な用紙で行っているため検針のコストが高かった。【解決手段】  本発明は、用紙搬送機構の送りローラの駆動軸に回転自在の状態で取り付けられ、その側面に噛み合せ機構が設けられ、常時駆動力が加えられているプーリと、用紙搬送機構の送りローラの駆動軸の軸方向にスライド可能な状態で回転方向には固定され、その側面にプーリの噛み合せ機構に契合する噛み合せ機構が設けられている駆動車とを具備した用紙切り替え機構を有する携帯プリンタを実現することにより、従来の問題を解決したものである。【選択図】              図１
2006159427.tif 000002
【特許請求の範囲】
【請求項１】
用途の異なる用紙をそれぞれ収容する複数の用紙収納部と、
各用紙収納部に収容されている用紙の送出しを行なう用紙搬送機構と、
各用紙搬送機構の駆動を選択的に切換える切換機構と、
プラテンローラと印刷ヘッドとを有し用紙に所定の印刷を行なう印刷機構と有し、
前記各切換機構は、用紙搬送機構の送りローラの駆動軸に回転自在の状態で取り付けられ、その側面に噛み合せ機構が設けられ、常時駆動力が加えられているプーリと、
用紙搬送機構の送りローラの駆動軸の軸方向にスライド可能な状態で回転方向には固定され、その側面にプーリの噛み合せ機構に契合する噛み合せ機構が設けられている駆動車とを具備し、前記の駆動車をプーリの軸方向に押してプーリと駆動車をロックし、プーリの駆動力ローラに伝達し、用紙収納部の用紙を印刷機構に送り出すようにしたことを特徴とする用途に応じてプリント用紙を切替て使用する携帯プリンタ。
【請求項２】
用途の異なる用紙をそれぞれ収容する複数の用紙収納部と、
各用紙収納部に収容されている用紙の送出しを行なう用紙搬送機構と、
各用紙搬送機構の駆動を選択的に切換える切換機構と、
プラテンローラと印刷ヘッドとを有して用紙に所定の印刷を行なう印刷機構とを有し、
前記各切換機構は、用紙搬送機構の送りローラの駆動軸に回転自在の状態で取り付けられ、その側面に噛み合せ機構が設けられ、常時駆動力が加えられているプーリと、
用紙搬送機構の送りローラの駆動軸の軸方向にスライド可能な状態で回転方向には固定され、その側面にプーリの噛み合せ機構に契合する噛み合せ機構が設けられている駆動車と、
点軸を中心として揺動する揺動レバーと、揺動レバーの先端を押圧するスライドとにより切換機構のスライドを用紙搬送機構の送りローラの位置に移動することにより、揺動レバーの先端が用紙搬送機構の送りローラの駆動車をプーリの軸方向に押してプーリと駆動車をロックし、プーリの駆動力ローラに伝達し、用紙収納部の用紙を印刷機構に送り出すことを特徴とする用途に応じてプリント用紙を切替て使用する携帯プリンタ。
【発明の詳細な説明】
【技術分野】
【０００１】
本発明は、用途に応じて異なるプリント用紙を切替て使用する携帯プリンタに関するものである。
本発明の用途に応じて用紙を切替て使用する携帯プリンタは、サーマル方式で印刷を行なって各種の帳票を作成する携帯プリンタにおいて、プリント用紙の交換を行なうことなく用紙を用途に応じて切替て使用出来るようにしたものである。
【背景技術】
【０００２】
最近では電気、ガス、水道の検針用のハンディターミナルのプリンタで、料金の振込み用紙や、捺印性を要求される領収書等をプリントする用途が拡大しているが、電気、ガス、水道等の料金の振込み票等の処理には、ＯＣＲを使用した自動読み取り処理が普及しているため、ＯＣＲを使用した自動読み取り処理に対応出来る振込み票のプリントを行うことが要求されている。
検針用の振込みに使用される振込み票は、バーコードが印刷され、高速の機械読み取り機などにかけられるので、紙質、厚さ等もそれに耐える高級な品質のものでなければならない。
【０００３】
一方、電気、ガス、水道等の料金の銀行からの引き落としを行っている利用者は、料金の振込みの必要がないため使用量のお知らせだけで良いので、このような用途には、高級な品質の紙を使用する必要がない。
従来、据え置きプリンタでは１台のプリンタを用いて複数種類の異なる用紙切り替えて使用する機能を持ったものはあるが、その構成が複雑で装置が大型になるために、携帯用プリンタでは複数種類の異なる用紙を切り替えて使用出来るものは無かった。
携帯用プリンタで複数種類の異なる用紙を使用する場合には、１台のプリンタを用いて用紙交換を行ないながら印刷する方法、あるいは用紙の種類に応じ複数台のプリンタを用意して印刷する方法が採られている。
【０００４】
【特許文献１】特開平１０−１８１１２４号公報，
【特許文献２】特開平１１−１１５２６３号公報，
【特許文献３】特開２００４−１６０８７７号公報，
【発明の開示】
【発明が解決しようとする課題】
【０００５】
従来の検針用携帯プリンタでは、用紙を切り替えるためには、用紙をセットし直す必要があり手間がかかるので検針の処理件数が少なくなるため、使用量のお知らせ等の高級な品質の紙を使用する必要が無い印刷も高級な用紙で行っている。
検針用携帯用プリンタに適用できる簡単な構成で、用途に応じて用紙を使い分ける機構を実現することにより、高級な品質の紙を使用する必要がある検針用振込み用紙と、高級な品質の紙を使用する必要が無い使用量お知らせ等の用紙を切り替えプリント出来るようにして、用紙のコストダウンと検針処理件数のアップを図りたいという要望がある。
【課題を解決するための手段】
【０００６】
本発明は、用途の異なる用紙をそれぞれ収容する複数の用紙収納部と、各用紙収納部に収容されている用紙の送出しを行なう用紙搬送機構と、各用紙搬送機構の駆動を選択的に切換える切換機構と、プラテンローラと印刷ヘッドとを有して用紙に所定の印刷を行なう印刷機構と有し、
前記各切換機構は、用紙搬送機構の送りローラの駆動軸に回転自在の状態で取り付けられ、その側面に噛み合せ機構が設けられ、常時駆動力が加えられているプーリと、
用紙搬送機構の送りローラの駆動軸の軸方向にスライド可能な状態で回転方向には固定され、その側面にプーリの噛み合せ機構に契合する噛み合せ機構が設けられている駆動車とを具備し、用紙搬送機構の送りローラの駆動車をプーリの軸方向に押してプーリと駆動車をロックし、プーリの駆動力ローラに伝達し、用紙収納部の用紙を印刷機構に送り出すようにした携帯プリンタを実現することにより、用途に応じてプリント用紙を切替て使用出来るようにして従来の問題を解決したものである。
【発明の効果】
【０００７】
本発明の用途に応じてプリント用紙を切替て使用するプリンタは、簡単な構成により、用途に応じて異なる用紙を用いても、用紙交換を行なうことなく単一の印刷機構により各用紙に各別に印刷することが出来るので、1台のプリンタで  用途に応じてプリント用紙を切替て使用して印刷出来るようにしたので、電気、ガス、水道等の検針作業において、今まで以上の処理件数が処理できるようになった。
又、本発明の用途に応じてプリント用紙を切替て使用するプリンタは、用途別に用紙を使い分ける事により、検針作業トータルのコストダウンが可能になった。
【発明を実施するための最良の形態】
【０００８】
以下、本発明の用途に応じてプリント用紙を切替て使用する携帯プリンタについて図面を参照して説明する。
図１は、本発明の用途に応じてプリント用紙を切替て使用する携帯プリンタの構成を説明するための図面である。
図１において、１０は、第１用紙を収容する第１用紙収納部である。２０は、第２用紙を収容する第２用紙収納部である。
第１用紙収納部１０と第２用紙収納部２０にはそれぞれ、一定のサイズにカットされたシート状の用途の異なる印刷用紙がセットされる。
１１は、第１用紙収納部１０から用紙の送出しを行なう第１用紙搬送用の送りローラ、２１は第２用紙収納部２０から用紙の送出しを行なう第２用紙搬送用の送りローラである。３０は各用紙に所定の印刷を行なう印刷機構で、３１はその印字ヘッド、３２はプラテンローラである。４０は、用紙を印刷機構３０まで案内する用紙ガイドである。
５０は駆動機構である。駆動機構５０は、モータ５１により駆動される歯車５２により印刷機構３０のプラテンローラ３２を駆動し、又. 歯車５２，５３により駆動されるプーリ５４に架けられた丸べルト５５，５６により第１用紙搬送用の送りローラ１１、第２用紙搬送用の送りローラ２１を駆動する。
【０００９】
第１用紙搬送用の送りローラ１１、第２用紙搬送用の送りローラ２１の駆動を選択的に切換る切換機構については図２乃至４により説明する。
又、プリンタには駆動機構５０および印刷機構３０を制御する制御装置が配設されているが、その説明は省略する。
図１に示す用途に応じてプリント用紙を切替て使用する携帯プリンタでは、第１用紙を選択しプリントする場合には、第１用紙搬送用の送りローラ１１を駆動することにより、第１用紙収納部１０の用紙が送りローラ１１により用紙ガイド４０に送り出され、印刷機構３０まで案内されて印字が行われる。
又、第２用紙を選択しプリントする場合には、第２用紙搬送用の送りローラ２１を駆動することにより、第２用紙収納部の用紙が送りローラ２１により用紙ガイド４０に送り出され、印刷機構３０まで案内されて印字が行われる。
【００１０】
図２は、第１用紙搬送用の送りローラ１１、第２用紙搬送用の送りローラ２１の駆動を選択的に切換る切換機構の構成と動作を示した図である。又、図３と図４は図２の切換機構のプーリと駆動車の詳細な構成を示した図である。
図２乃至図４において、図1と同一の部分には同一の符号を付けてその説明を省略する。
図２乃至図４において、１２は第１用紙搬送用の送りローラ１１の駆動軸である。１３はプーリで、図３に示すように、駆動軸１２に回転自在の状態で取り付けられており、その側面に噛み合せ機構が設けられている。１４は駆動車で、図3に示すように、第１用紙搬送用の送りローラ１１の駆動軸１２の軸方向にスライド可能な状態で回転方向には固定された状態で取り付けられており、駆動車１４の側面にはプーリ１３の噛み合せ機構に契合する噛み合せ機構が設けられている。
２２は第２用紙搬送用の送りローラ２１の駆動軸である。２３は図３に示すように駆動軸２２に回転自在の状態で取り付けられたプーリで、その側面に噛み合せ機構が設けられている。２４は第２用紙搬送用の送りローラ２１の駆動軸２２の軸方向にスライド可能な状態で回転方向には固定された駆動車で其の側面にはプーリ２３の噛み合せ機構に契合する噛み合せ機構が設けられている。
【００１１】
プーリ１３とプーリ２３にはプーリ５４との間に丸ベルト５５，５６が架けられ、駆動機構５０のモータ５１により駆動される。
６０は、切換機構で、プーリ１３とプーリ２３に丸ベルト５５，５６により加えられている駆動機構５０のモータ５１の駆動力を第1用紙搬送用の送りローラ１１又は第２用紙搬送用の送りローラ２１に選択して伝達する。
切換機構６０は、支点軸６１を中心として揺動する揺動レバー６２と揺動レバー６２の先端を押圧するスライド６３とにより構成されている。切換機構６０の揺動レバー６２両先端部は送りローラ１１の駆動車１４と、送りローラ２１の駆動車２４に連結されている。
切換機構６０の揺動レバー６２は、図２の（ａ）（ｂ）（ｃ）に示すように、スライド６３の位置を変えることにより支点軸６１を支点として揺動し、この揺動により、駆動車１４又は駆動車２４が、送りローラ１１又は送りローラ２１の軸方向にスライドされるようになっている。
【００１２】
図４の（ａ）（ｂ）に示すように、プーリ１３と駆動車１４の噛み合せ機構の間にはスプリング１５が回動自在に挿入され、スライド６３が揺動レバー６２の支点軸６１上にある時にはスプリング１５により、プーリ１３と駆動車１４の噛み合せ機構が切り離されプーリ１３の回転力は駆動車１４には伝達されない状態にあり、プーリ１３は自由に回転できるようになっている。又、プーリ２３と駆動車２４の噛み合せ機構の間にはスプリング２５が回動自在に挿入され、スライド６３が揺動レバー６２の支点軸６１上にある時にはスプリング２５により噛み合せ機構が切り離されプーリ２３の回転力は駆動車２４には伝達されない状態にあり、プーリ２３は自由に回転できるようになっている。
次に、上記のように構成された本発明の用途に応じてプリント用紙を切替て使用する携帯プリンタの作用について説明する。
携帯プリンタ使用に際しては、まず第１用紙収納部１０と第２用紙収納部２０の各用紙収納部に用途に応じてた用紙を収容するこれが印刷前の初期状態である。この初期状態においては、図２の（ａ）に示すように、切換機構６０のスライド６３は支点軸６１の上にあり、各プーリ１３，２３と駆動車１４，２４は図４の（ｂ）に示すようにフリーの状態にある。
【００１３】
例えば、第１用紙収納部１０の用紙に印字を行う場合には、図２の（ｂ）に示すように、切換機構６０のスライド６３を第１用紙搬送用の送りローラ１１の位置に移動する。これにより、スライド６３のスプリング６４により、揺動レバー６２の先端が送りローラ１１の駆動車１４をローラ１１の軸方向に押してプーリ１３と駆動車１４を、図4の（ａ）に示すような噛合いの状態にして、プーリ１３の駆動力を送りローラ１１に伝達し、第１用紙収納部の用紙を用紙ガイド４０を介して印刷機構３０に送り出す。
又、第２用紙収納部の用紙に印字を行う場合には、図２の（ｃ）に示すように、切換機構６０のスライド６３を第２用紙搬送用の送りローラ２１の位置に移動する。これにより、スライド６３のスプリング６４により、揺動レバー６２の先端が送りローラ２１の駆動車２４の軸方向に押してプーリ２３と駆動車２４を噛合いの状態にして、プーリ２３の駆動力を送りローラ２１に伝達し、第２用紙収納部の用紙を用紙ガイド４０を介して印刷機構３０に送り出す。
印刷機構３０は、駆動モータ５１で駆動されるプラテンローラ３２と、サーマルヘッド３１とにより、印刷機構３０に送り込まれた各用紙に所定の印刷を行なう。
【００１４】
尚、上記の説明では用紙搬送用の送りローラに駆動力の伝達を切り替える切換機構６０に揺動レバー６２とスライド６３によりプーリと駆動車の噛合いの状態にするような例について説明したが、切換機構６０はこの構成に限定されるものではなく、駆動車を送りローラの駆動軸上に押圧出来る構成、例えば押しボタン等の構成を使用することが可能である。
本発明の用途に応じてプリント用紙を切替て使用するプリンタは、用途に応じて異なる用紙を用いても、用紙交換を行なうことなく単一の印刷機構により各用紙に各別に印刷することが出来るので、1台のプリンタで  用途に応じてプリント用紙を切替て使用用途に応じてプリント用紙を切替て使用して印刷出来るようにしたので、電気、ガス、水道等の検針作業において、今まで以上の処理件数が処理できるようになった。又、用途別に用紙を使い分ける事により、トータルのコストダウンが可能になった。
【産業上の利用可能性】
【００１５】
本発明は電気、ガス、水道等の検針作業を行う産業で利用可能である。
【図面の簡単な説明】
【００１６】
【図１】本発明の用途に応じてプリント用紙を切替て使用する携帯プリンタの構成を説明するための図面である。
【図２】第１用紙搬送用の送りローラ１１、第２用紙搬送用の送りローラ２１の駆動を選択的に切換る切換機構の構成と動作を示した図である。
【図３】図２の切換機構のプーリと駆動車の詳細な構成を示した図である。
【図４】図２の切換機構のプーリと駆動車の詳細な構成を示した図である。
【符号の説明】
【００１７】
１０・・・第１用紙を収容する第１用紙収納部
１１・・・第１用紙収納部１０から用紙の送出しを行なう第１用紙搬送用の送りローラ
１２・・・第１用紙搬送用の送りローラ１１の駆動軸
１３. ２３・・・側面に噛み合せ機構が設けられているプーリ
１４. ２４・・・噛み合せ機構が設けられている駆動車
２０・・・第２用紙を収容する第２用紙収納部
２１・・・第２用紙収納部２０から用紙の送出しを行なう第２用紙搬送用の送りローラ
２２・・・第２用紙搬送用の送りローラ２１の駆動軸
３０・・・各用紙に所定の印刷を行なう印刷機構
３１・・・印字ヘッド
３２・・・プラテンローラ
４０・・・用紙を印刷機構３０まで案内する用紙ガイド
５０・・・駆動機構
５１・・・モータ
５２，５３・・・歯車
５４・・・プーリ
５５，５６・・・丸べルト
６０・・・切換機構
６１・・・支点軸
６２・・・揺動レバー
６３・・・スライド６３
【図１】
2006159427.tif 000003
【図２】
2006159427.tif 000004
【図３】
2006159427.tif 000005
【図４】
2006159427.tif 000006